(57)【要約】【課題】より高い集塵能力を有する携帯用切断機の提供。【解決手段】ハウジング２はモータ収容部２１と、回転刃３の一部を覆う回転刃カバー４とから主に構成される。モータ収容部２１内には、モータを冷却するファン７１が設けられている。ダストボックス５はハウジング２と着脱可能であり、集塵口５１ａが形成されている。携帯用切断機１は、一端がモータ収容部２１内に開口し他端が回転刃カバー４内に開口しファン７１の回転により発生する風を回転刃カバー４内に案内する通路２４をさらに有する。通路２４の他端は集塵口５１ａと対向する位置に開口している。【選択図】図５
2011131367.tif 000002
【特許請求の範囲】
【請求項１】
モータ収容部と回転刃カバーとを有するハウジングと、
該モータ収容部に収容されるモータと、
該モータ収容部に収容され該モータを冷却するためのファンと、
該モータにより駆動され該回転刃カバーに一部が覆われた回転刃と、
該ハウジングに着脱可能に設けられ該回転刃カバーと連通している集塵口が形成されたダストボックスとを備え、
一端が該モータ収容部に開口し他端が該回転刃カバーに開口し該ファンの回転により発生する風を該回転刃カバーに案内する第１通路を有し、
該他端は該集塵口と対向する位置に開口していることを特徴とする携帯用切断機。
【請求項２】
該回転刃の軸方向から見て、該他端は該回転刃の刃先の少なくとも一部と重複する位置に開口していることを特徴とする請求項１に記載の携帯用切断機。
【請求項３】
該ファンは遠心ファンであって、該一端は該遠心ファンの半径方向外方に開口していることを特徴とする請求項２に記載の携帯用切断機。
【請求項４】
該集塵口は少なくとも２つ形成され、該集塵口のいずれか一つと対向する位置に該他端が開口していることを特徴とする請求項１に記載の携帯用切断機。
【請求項５】
一端が該第１通路内に開口し他端が該回転刃カバー内に開口し該ファンの回転により発生する風を該回転刃カバーに案内する第２通路をさらに備え、一の該集塵口と対向する位置に該第１通路の該他端が開口し、他のいずれか一つの該集塵口と対向する位置に該第２通路の該他端が開口していることを特徴とする請求項４に記載の携帯用切断機。
【請求項６】
一端が該モータ収容部内に開口し他端が該回転刃カバー内に開口し該ファンの回転により発生する風を該回転刃カバーに案内する第３通路をさらに備え、一の該集塵口と対向する位置に該第１通路の該他端が開口し、他のいずれか一つの該集塵口と対向する位置に該第３通路の該他端が開口していることを特徴とする請求項４に記載の携帯用切断機。
【請求項７】
該ダストボックスの略中心部には、該ダストボックスを該ハウジングに装着するための係合部が設けられ、該第１通路の該他端が開口する位置に対向している該集塵口と該第２通路の該他端が開口する位置に対向している該集塵口のいずれか一方の該集塵口は切断方向前側に形成され、該第１通路の該他端が開口する位置に対向している該集塵口と該第２通路の該他端が開口する位置に対向している該集塵口の他方の該集塵口は該係合部の上方位置から切断方向後側に形成されていることを特徴とする請求項５に記載の携帯用切断機。
【請求項８】
該ダストボックスの略中心部には、該ダストボックスを該ハウジングに装着するための係合部が設けられ、該ダストボックス内の空間は該係合部によって第１ダスト収容空間と第２ダスト収容空間に区画され、該第１通路の該他端が開口する位置に対向している該集塵口と該第２通路の該他端が開口する位置に対向している該集塵口のいずれか一方の該集塵口は該第１ダスト収容空間に形成され、該第１通路の該他端が開口する位置に対向している該集塵口と該第２通路の該他端が開口する位置に対向している該集塵口の他方の該集塵口は該第２ダスト収容空間に形成されていることを特徴とする請求項７に記載の携帯用切断機。
【請求項９】
該回転刃により切断される被切断材の切断箇所の周囲を照らす光源を有し、該光源は、該第１通路の該他端側に保持されていることを特徴とする請求項１乃至請求項８のいずれか１項に記載の携帯用切断機。  
【請求項１０】
該第１通路内には該光源の配線が配置されていることを特徴とする請求項９に記載の携帯用切断機。
【請求項１１】
該第１通路は該ハウジングに設けられていることを特徴とする請求項１乃至請求項１０のいずれか１項に記載の携帯用切断機。
【発明の詳細な説明】
【技術分野】
【０００１】
本発明は携帯用切断機に関し、特に切断刃による切粉をダストボックス内に集塵する携帯用切断機に関する。
【背景技術】
【０００２】
従来より、円盤状の回転刃を備え、回転刃を回転させて被加工部材を切断可能な携帯用切断機が知られている。携帯用切断機の切断刃たる回転刃の略半分は、ハウジング及びハウジングに固定された第１ダストカバーの内面により覆われており、第１ダストカバーの内面はハウジングとともに回転刃収容空間を画成する。第１ダストカバーの外面と第２ダストカバーとにより切粉集塵空間を画成する。
【０００３】
第１ダストカバーの切断方向前側の端部近傍には集塵口が形成されている。集塵口は、回転刃収容空間と切粉集塵空間とを連通させるように第１ダストカバーを貫通している。被加工部材を回転刃により切断することにより生じた切粉は、回転刃の回転により生ずる空気の流れにより集塵口を通して切粉集塵空間内へ集塵可能である。このような携帯用切断機は、例えば特開平８−３００３０７号公報（特許文献１）に記載されている。
【先行技術文献】
【特許文献】
【０００４】
【特許文献１】特開平８−３００３０７号公報
【発明の概要】
【発明が解決しようとする課題】
【０００５】
しかし、上述の携帯用切断機では、集塵能力が十分ではなくより高い集塵能力が要求されていた。
【０００６】
そこで、本発明はより高い集塵能力を有する携帯用切断機を提供することを目的とする。
【課題を解決するための手段】
【０００７】
上記目的を達成するために、本発明はモータ収容部と回転刃カバーとを有するハウジングと、該モータ収容部に収容されるモータと、該モータ収容部に収容され該モータを冷却するためのファンと、該モータにより駆動され該回転刃カバーに一部が覆われた回転刃と、該ハウジングに着脱可能に設けられ該回転刃カバーと連通している集塵口が形成されたダストボックスとを備え、一端が該モータ収容部内に開口し他端が該回転刃カバー内に開口し該ファンの回転により発生する風を該回転刃カバーに案内する第１通路を有し、該他端は該集塵口と対向する位置に開口していることを特徴とする携帯用切断機を提供している。
【０００８】
集塵口に対向する位置に開口が形成され、その開口にファンの回転により発生した風が案内されることで、開口から集塵口を経由してダストボックス内へ向かう空気の流れが形成される。この空気の流れによって、切断時に回転刃の周辺に発生する切粉を積極的にダストボックス内に取り込み、集塵効率を向上させることができる。
【０００９】
また、該回転刃の軸方向から見て、該他端は該回転刃の刃先の少なくとも一部と重複する位置に開口していることが好ましい。
【００１０】
回転刃の軸方向から見て、開口の一部が回転刃の刃先の一部と重複していることにより回転刃の刃先に周囲に付着した切粉を効率的に集塵することができる。
【００１１】
また、該ファンは遠心ファンであって、該一端は該遠心ファンの半径方向外方に開口していることが好ましい。
【００１２】
モータ収容部内の開口が遠心ファンの半径方向外方に形成されていることにより、ファンの回転により発生した風を効率的に第１通路に案内することができる。これにより、切断時に回転刃の周辺に発生する切粉を積極的にダストボックス内に取り込み、集塵効率を向上させることができる。
【００１３】
また、該集塵口は少なくとも２つ形成され、該集塵口のいずれか一つと対向する位置に該他端が開口していることが好ましい。
【００１４】
回転刃カバーには少なくとも２つの集塵口が形成されていて、いずれか一方の集塵口に対向する位置に第１通路と連通する開口が設けられていることにより、切断時に回転刃の周辺に発生する切粉を積極的にダストボックス内に取り込み、集塵効率を向上させることができる。
【００１５】
また、一端が第１通路内に開口し他端が該回転刃カバー内に開口し該ファンの回転により発生する風を該回転刃カバーに案内する第２通路をさらに備え、一の該集塵口と対向する位置に該第１通路の該他端が開口し、他のいずれか一つの該集塵口と対向する位置に該第２通路の該他端が開口していることが好ましい。
【００１６】
また、一端が該モータ収容部内に開口し他端が該回転刃カバー内に開口し該ファンの回転により発生する風を該回転刃カバーに案内する第３通路をさらに備え、一の該集塵口と対向する位置に該第１通路の該他端が開口し、他のいずれか一つの該集塵口と対向する位置に該第３通路の該他端が開口していることが好ましい。
【００１７】
モータのファンにより発生した風を案内する第２通路又は第３通路がさらに形成され、通路の開口と集塵口がそれぞれ対向する位置に設けられていることにより、一方の集塵口で集塵することができなかった切粉を他方の集塵口で集塵することが可能になる。これにより、切断時に回転刃の周辺に発生する切粉を積極的にダストボックス内に取り込み、集塵効率を向上させることができる。
【００１８】
また、該ダストボックスの略中心部には、該ダストボックスを該ハウジングに装着するための係合部が設けられ、該第１通路の該他端が開口する位置に対向している該集塵口と該第２通路又は第３通路の該他端が開口する位置に対向している該集塵口のいずれか一方の該集塵口は切断方向前側に形成され、該第１通路の該他端が開口する位置に対向している該集塵口と該第２通路又は該第３通路の該他端が開口する位置に対向している該集塵口の他方の該集塵口は該係合部の上方位置から切断方向後側に形成されていることが好ましい。
【００１９】
これにより、切粉が係合部に当たって一方の集塵口側のダストボックス内に集塵することなく、切断方向後側のダストボックス内に集塵することができるため、ダストボックス内の空間を有効利用することができ、集塵率を向上させることができる。
【００２０】
また、該ダストボックスの略中心部には、該ダストボックスを該ハウジングに装着するための係合部が設けられ、該ダストボックス内の空間は該係合部によって第１ダスト収容空間と第２ダスト収容空間に区画され、該第１通路の該他端が開口する位置に対向している該集塵口と該第２通路又は該第３通路の該他端が開口する位置に対向している該集塵口のいずれか一方の該集塵口は該第１ダスト収容空間に形成され、該第１通路の該他端が開口する位置に対向している該集塵口と該第２通路又は該第３通路の該他端が開口する位置に対向している該集塵口の他方の該集塵口は該第２ダスト収容空間に形成されていることが好ましい。
【００２１】
一方の集塵口を第１ダスト収容空間に設け、他方の集塵口を第２ダスト収容空間に設けることにより、係合部によって区画されたダストボックス内の一方のダスト収容空間が満杯になった状態であっても、他方のダスト収容空間内に切粉を集塵することができる。これにより、ダストボックス内の空間を有効利用することができる。
【００２２】
また、該回転刃により切断される被切断材の切断箇所の周囲を照らす光源を有し、該光源は、該第１通路の該他端側に保持されていることが好ましい。
【００２３】
また、該第１通路内には該光源の配線が配置されていることが好ましい。
【００２４】
光源及び光源の配線をファンの風を案内する第１通路内に配置することにより、風によって光源、配線の発熱を抑制することができる。さらに、第１通路が光源及び配線の保持を兼ねているため新たに光源の保持部材を形成する必要はなく、部品の点数を削減することができる。
【００２５】
また、該第１通路は該ハウジングに設けられていることが好ましい。
【００２６】
第１通路をハウジングに設けたため、強度を向上できると共に、安定してファンの風をダストボックス内に案内することができる。
【発明の効果】
【００２７】
以上より本発明は、より高い集塵能力を有する携帯用切断機を提供することができる。
【図面の簡単な説明】
【００２８】
【図１】本発明の第１の実施形態による携帯用切断機を示す側面図。
【図２】本発明の第１の実施形態による携帯用切断機を示す側面図。
【図３】本発明の第１の実施形態による携帯用切断機を示す平面図。
【図４】本発明の第１の実施形態による携帯用切断機のダストボックスを示す側面図。
【図５】本発明の第１の実施形態による携帯用切断機の遠心ファンによる風の流れを示す平面図。
【図６】本発明の第１の実施形態による携帯用切断機のダストボックスを示す分解斜視図。
【図７】本発明の第１の実施形態による携帯用切断機の第１ダストカバーを示す斜視図。
【図８】本発明の第１の実施形態による携帯用切断機において第２ダストカバーが取り外された状態を示す側面図。
【図９】本発明の第１の実施形態による携帯用切断機においてダストボックスが取り外された状態を示す側面図。
【図１０】本発明の第２の実施形態による携帯用切断機を示す平面図。
【図１１】本発明の第２の実施形態による携帯用切断機において第２ダストカバーが取り外された状態を示す側面図。
【図１２】本発明の第２の実施形態による携帯用切断機においてダストボックスが取り外された状態を示す側面図。
【図１３】本発明の第２の実施形態による携帯用切断機のダストボックスにおいて集塵している様子を示す側面図。
【図１４】本発明の第２の実施形態による携帯用切断機の通路及び、後方通路を示す部分断面図。
【図１５】本発明の第２の実施形態の変形例による携帯用切断機の通路及び、後方通路を示す部分断面図。
【図１６】本発明の第３の実施形態による携帯用切断機の通路及び、照明装置を示す部分断面図。
【発明を実施するための形態】
【００２９】
本発明の実施の形態による携帯用切断機について図１から図９に基づき説明する。図１から図3に示される携帯用切断機である携帯用丸のこ１は、ハウジング２と、回転刃３と、ベース６とを備えている。ここで、説明の便宜上、図１の左から右へと向かう方向を切断方向と定義する。そして、図１に示される携帯用丸のこ１の右端側を切断方向前側、左端側を切断方向後側と定義し、図１に示される携帯用丸のこ１の上側を上側と定義し、図１に示される携帯用丸のこ１の下側を下側と定義する。
【００３０】
図１から図３に示すように、ハウジング２はギヤカバー２５と、図示せぬモータが収容されギヤカバー２５から切断方向と直交する方向に延出しているモータ収容部２１と、ギヤカバー２５又はモータ収容部２１と連結されるハンドル２２とを有している。ハウジング２内には、図示せぬモータにより駆動される減速ギヤ等からなる図示せぬ駆動系が設けられている。回転刃３は、ハウジング２に回転可能に支持されている。回転刃３の回転軸は、モータ収容部２１の延出方向と平行であり、回転刃３の外縁には刃先が形成されている。図示せぬモータが駆動することで、図示せぬ駆動系を介して回転刃３が図１における反時計回り方向（以下、回転刃３の回転方向という）に回転駆動するように構成されている。ハウジング２には、通路２４が形成されている。通路２４は、ギヤカバー２５の切断方向前側であって、高さがモータ収容部２１と略同一の位置に形成される。通路２４は、一端がモータ収容部２１に開口し、他端が後述する回転刃カバー４に開口している。つまり、通路２４はモータ収容部２１内と後述する回転刃カバー４内とを連通している。通路２４は第１通路の一例として機能する。
【００３１】
ギヤカバー２５には、回転刃３の刃先を照らすための照明装置２６が設けられている。照明装置２６は、通路２４の下側に位置している。照明装置２６は、後述するオフロックスイッチ２２Ｂの動作と連動している。
【００３２】
モータ収容部２１の延出方向外方の端面には複数の吸込口２１ａが形成されている。図５に示すように、モータ収容部２１内のギヤカバー２５側には、遠心ファン７１が設けられている。遠心ファン７１は図示せぬモータの出力軸と同軸に設けられており、モータを冷却する冷却ファンとして機能する。モータ収容部２１の内面であって、遠心ファン７１の半径方向外方にはモータ収容部側開口２１ｂが形成され、通路２４の一端に接続している。
【００３３】
ハンドル２２には、図示せぬモータの駆動を制御するスイッチ２２Ａと、オフロックスイッチ２２Ｂとが設けられている。スイッチ２２Ａは、オフロックスイッチ２２Ｂが押下されている状態でなければＯＮ状態（押下）とすることができない。オフロックスイッチ２２Ｂが押下されることにより、照明装置２６が点灯する。また、ハンドル２２の下部には、図示せぬモータへ電源を供給する電池２３が着脱可能に設けられている。
【００３４】
図９に示すように、回転刃カバー４は、ハウジングと一体的に形成されハウジング２の一部を成しハンドル２２を挟んで反モータ収容部２１側に設けられている。
【００３５】
回転刃カバー４は、ベース６よりも上側に位置している回転刃３の略上半分の一側面を覆うように構成される。回転刃カバー４の切断方向前側には、回転刃カバー側開口４ａが形成されている。回転刃カバー側開口４ａは、回転刃３の軸方向から見てその少なくとも一部が回転刃３の刃先と重複する位置に形成される。回転刃カバー側開口４ａは通路２４の他端に接続している。回転刃カバー４の切断方向前側下部には、後述の回動支持部６２と連結される連結部４１が設けられている。
【００３６】
回転刃カバー４には、ベース６の下面から突出した回転刃３の刃先の大部分を覆うセーフティカバー４２が設けられている。セーフティカバー４２は、回転刃３の回転軸心を中心として回転刃３の外縁に沿うように回動可能である。回転刃カバー４とセーフティカバー４２との間には、図示せぬバネが介在しており、図示せぬバネは、回転刃カバー４に対してセーフティカバー４２を、回転刃３の回転方向へ付勢している。
【００３７】
切断作業を行っていないときには、図１に示すように、セーフティカバー４２はベース６から下側に突出した刃先のうち切断方向前側の一部を除く大部分を覆っている。その一方で、ベース６とセーフティカバー４２との間には、回転刃３が露出する部分が生じる。この部分が被加工部材である木材を切断する切断位置となり、切断方向前側へ向かって携帯用丸のこ１が切り進めるように構成されている。被加工部材がセーフティカバー４２の切断方向前側の先端部に当接することにより、セーフティカバー４２は回転刃３の回転軸心を中心に反時計回りに回動し回転刃カバー４内に収容される。
【００３８】
回転刃３を挟んで回転刃カバー４と反対の側には、ダストボックス５が設けられている。図６に示すように、ダストボックス５は、第１ダストカバー５１と第２ダストカバー５２とにより構成されている。第１ダストカバー５１は回転刃カバー４に固定されている。第２ダストカバー５２は第１ダストカバー５１に対して着脱可能に構成されている。第２ダストカバー５２が第１ダストカバー５１に装着されることで、第１ダストカバー５１と第２ダストカバー５２とにより切粉集塵空間５０ａを画成している。
【００３９】
第１ダストカバー５１は、図８に示されるように、ベース６よりも上側に位置している回転刃３の略上半分の他側面に対向している。第１ダストカバー５１は、回転刃カバー４と共に回転刃３の略上半分を収容する回転刃収容空間４０ａを画成している。
【００４０】
図８に示されるように、第１ダストカバー５１の切断方向前側には集塵口５１ａが形成されている。集塵口５１ａは、回転刃カバー側開口４ａと対向する位置に形成されている。つまり、集塵口５１ａと回転刃カバー側開口４ａとは回転刃３の回転軸と平行な一直線上に位置している。集塵口５１ａの貫通方向は切断方向後側に指向しており、回転刃収容空間４０ａと切粉集塵空間５０ａとを連通させる。集塵口５１ａは略長円形状をなしており、一度切粉集塵空間５０ａ内に集塵された切粉が再び回転刃収容空間４０ａへほとんど出て行かない程度の大きさを有している。
【００４１】
更に、図４及び図６に示すように、第１ダストカバー５１の集塵口５１ａの切粉集塵空間５０ａ側の開口部には、案内部５１Ｃが設けられている。案内部５１Ｃは、集塵口５１ａの開口部から切断方向後側に向けて切粉を案内する。回転刃３の回転により、回転刃収容空間４０ａ内には回転刃３の回転方向の気流が発生する。この気流を円滑に切断方向後側に案内するために、案内部５１Ｃが設けられている。また、図４に示されるように、案内部５１Ｃの下側には、切断方向に対し傾斜したプレート５１Ｄが設けられており、集塵口５１ａから切粉集塵空間５０ａに集塵された切粉が集塵口５１ａ近傍に溜まらないように構成されている。また、第１ダストカバー５１の略中央部分には雌ネジが形成された係合孔５１ｃが形成されている。
【００４２】
図６に示すように、第２ダストカバー５２には、その略中央部に係合部５２Ｃが設けられている。係合部５２Ｃは、略円柱形状をなし切粉集塵空間５０ａ内に突出している。係合部５２Ｃの突出端部の軸心位置には、貫通孔５２ｃが形成されている。貫通孔５２ｃには無頭ネジ５３が貫通しており、無頭ネジ５３の一端部は第１ダストカバー５１の係合孔５１ｃの雌ネジに螺合し、他端部には蝶ボルト５４が螺合している。蝶ボルト５４を締めることにより第２ダストカバー５２が第１ダストカバー５１に対して固定され、蝶ボルト５４を緩めることにより第２ダストカバー５２を第１ダストカバー５１から取り外すことができるように構成されている。
【００４３】
第２ダストカバー５２の切断方向後側には、接続部５５が設けられている。接続部５５は図示せぬ集塵機のホースを接続可能であって上方に傾斜した筒状口部５５Ａを有する。筒状口部５５Ａはキャップ５６により閉塞されている。
【００４４】
図１から図３に示すように、ベース６は、ベース部材６１と、回動支持部６２と、ベベルプレート６４と、ガイドピース６５と、切込み深さ調整機構６６とを有している。これらの構成によりベース６は、ハウジング２、回転刃３、及び回転刃カバー４を回動支持部６２を中心に回動可能に支持している。
【００４５】
ベース部材６１は、金属製の略矩形の板材により構成されている。ベース部材６１は長手方向が切断方向と一致するように配置され、その略中央部には長手方向に延びる長孔状の図示せぬ開口部が形成されている。この図示せぬ開口部に回転刃３及びセーフティカバー４２を挿通可能である。
【００４６】
ベベルプレート６４及び回動支持部６２は、ベース部材６１の切断方向前側の端部に設けられている。ベベルプレート６４は、ベース部材６１上において上方に直立して設けられており、切断方向に延びる傾動軸部６４Ａを備えている。またベベルプレート６４の上方部分は傾動軸部６４Ａを中心とした円弧形状をなし、そこには傾動軸部６４Ａを中心とした円弧状の図示せぬ長孔が形成されている。
【００４７】
回動支持部６２は、傾動軸部６４Ａによって切断方向と直交する方向において、ベース部材６１の表面に対して所定の角度をなすように傾動可能に軸支されている。回動支持部６２は回転刃カバー４の切断方向前側の部分をなす連結部４１Ａを軸支している。
【００４８】
回動支持部６２には、ベベルプレート６４の前述した図示せぬ長孔を貫通し回動支持部６２に形成された図示せぬネジ穴に螺合するネジ６２Ｂが設けられている。ネジ６２Ｂを緩めて回動支持部６２を図示せぬ長孔内で傾動軸部６４Ａを中心に円周方向に移動させることにより、回転刃３を含むハウジング２全体が回転刃３の軸方向に傾斜する。これにより、回転刃３の軸方向に対する角度を微調整することができる。ネジ６２Ｂを締め込むことにより、ベベルプレート６４に対して回動支持部６２を任意の傾動角度で固定することができるように構成されている。
【００４９】
ガイドピース６５は、切断方向において回転刃３の延長線上であってベース６の切断方向前側の端部に設けられている。作業者は、ガイドピース６５の位置を確認することにより、被加工部材の切断位置を認識することができる。また、回転刃３のベース６から下側への突出量すなはち切込み深さを変更するための切込み深さ調整機構６６を備えている。切込み深さ調整機構６６は、ハンドル２２と回転刃カバー４との間に設けられベース６から上方に延びるリンク６７と、ハンドル２２に対して反回転刃カバー４側に位置しリンク６７と係合する調整ノブ６８とを備える。調整ノブ６８を緩めてベース６に対してハウジング２を回動支持部６２を中心にリンク６７に沿って上下動させ、所望の切込み深さに調整した後、調整ノブ６８を締め付けることで、ベース６の下側に突出する回転刃３の量を調整することができる。
【００５０】
次に、携帯用丸のこ１の動作について説明する。作業者は、オフロックスイッチ２２Ｂを押下した状態でスイッチ２２Ａを押下することにより図示せぬモータが回転し、その回転力が図示せぬ駆動系を介して回転刃３に伝達される。同時に遠心ファン７１も回転し、吸入口２１ａから外気を取り込んでモータ収容部側開口２１ｂに外気が導入される。つまり、吸入口２１ａからモータ収容部側開口２１ｂに向かう空気の流れ（風）が形成される。なお、モータ収容部２１には、吸入口２１ａとモータ収容部側開口２１ｂのみが形成されていることから、遠心ファン７１によって吸入された外気はすべてモータ収容部側開口２１ｂを通って通路２４に運ばれる。
【００５１】
図５に示すように、通路２４内を流れる空気は、回転刃カバー側開口４ａを通って、回転刃収容空間４０ａ内に噴出される。そして、回転刃カバー側開口４ａと対向する位置に形成された集塵口５１ａを通ってダストボックス５の切粉集塵空間５０ａ内に噴出される。このとき、回転刃３の軸方向から見て、回転刃カバー側開口４ａは回転刃３の刃先と一部が重なるように形成されていることから、回転刃収容空間４０ａ内に噴出された空気は刃先に当たりながら切粉集塵空間５０ａ内に流れ込む。同時に、回転刃３の回転により発生した回転刃収容空間４０ａ内の気流も、集塵口５１ａを通って切粉集塵空間５０ａ内に流れる。
【００５２】
そして、切粉集塵空間５０ａ内に流れ込んだ空気は、第１ダストカバー５１と第２ダストカバー５２との間の僅かな隙間から外部に放出される。当該隙間は、切粉集塵空間５０ａ内の切粉が漏れ出さない程度の間隙を有している。
【００５３】
この状態で、作業者が被加工部材を切断すると、切粉が回転刃３の回転により発生した気流に乗って切断部分から上方に運ばれる。そして、切断部分上方に位置する集塵口５１ａを通って、ダストボックス５内の切粉集塵空間５０ａに集塵される。このとき、集塵口５１ａ周辺には上述のように回転刃カバー側開口４ａから集塵口５１ａに向かう空気の流れが形成されているため、切粉は積極的に集塵口５１ａ内に取り込まれる。さらに、回転刃カバー側開口４ａから噴出された空気の一部が回転刃３の刃先に当たることにより、刃先付近に付着した切粉を除去することができる。
【００５４】
作業者は、スイッチ２２をＯＦＦ状態にすることにより、電池２３からモータへの電源供給を遮断し、回転刃３の回転を停止させる。これに伴い、遠心ファン７１も停止しモータ収容部２１から通路２４を経由してダストボックス５に向かう空気の流れも停止する。
【００５５】
集塵口５１ａに対向する位置に回転刃カバー側開口４ａが設けられ、その開口に遠心ファン７１の回転により発生した風が案内されることで、回転刃カバー側開口４ａから集塵口５１ａを経由してダストボックス５内へ向かう空気の流れが形成される。この空気の流れによって、切断時に回転刃３の周辺に発生する切粉を積極的にダストボックス５内に取り込み、集塵効率を向上させることができる。具他的には、従来は約４０％であった集塵率を約５０％まで向上させることができる。ここで言う集塵率とは、発生した切粉のうち集塵することができる割合をいう。
【００５６】
回転刃３の軸方向から見て、回転刃カバー側開口４ａの一部が回転刃３の刃先の一部と重複していることにより回転刃３の刃先に周囲に付着した切粉を効率的に集塵することができる。
【００５７】
モータ収容部側開口２１ｂが遠心ファン７１の半径方向外方に形成されていることにより、遠心ファン７１の回転により発生した風を効率的に通路２４内に案内することができる。これにより、切断時に回転刃３の周辺に発生する切粉を積極的にダストボックス５内に取り込み、集塵効率を向上させることができる。
【００５８】
通路２４をハウジング２に設けたため、強度を向上できると共に、安定して遠心ファン７１の風をダストボックス５内に案内することができる。
【００５９】
次に図１０から図１４を用いて第２の実施形態の携帯用丸のこ２０１について説明する。なお、第１の実施形態と同一の構成は同一の符号を付して説明を省略する。
【００６０】
第２の実施形態では、図１０及び図１４に示すように通路２４に連通する後方通路２２４がハウジング２に形成されている。後方通路２２４の一端は通路２４内に形成された通路側開口２２４ａに接続し、他端は回転刃カバー４内に形成された回転刃カバー側開口２０４ａに接続している。後方通路２２４は第２通路の一例として機能する。図１２に示すように、回転刃カバー４に形成された回転刃カバー側開口２０４ａは、回転刃カバー側開口４ａの上部であって切断方向後側に形成されている。回転刃カバー側開口２０４ａは、回転刃３の軸方向から見て、回転刃３の刃先よりも半径方向外方に形成される。
【００６１】
図１１に示すように、第１ダストカバー５１には、回転刃３の軸方向から見て、回転刃カバー側開口２０４ａに対向する位置に後方集塵口２５１ａが形成されている。後方集塵口２５１ａは、その貫通方向が切断方向後側に指向しており、回転刃収容空間４０ａと切粉集塵空間５０ａとを連通する。後方集塵口２５１ａの開口は長方形状をなしており、一旦切粉集塵空間５０ａへと進入した切粉が回転刃収容空間４０ａへほとんど出ない程度の大きさを有し、その面積は集塵口５１ａの開口面積よりも小さい。
【００６２】
図１３のように、切粉集塵空間５０ａは係合部５２Ｃにより切断方向前側の第１ダスト収容空間５１ｄ（図１３の点線で囲まれた領域）と切断方向後側の第２ダスト収容空間５１ｅ（図１３の一点鎖線で囲まれた領域）とに区画されている。後方集塵口２５１ａは集塵口５１ａよりも切断方向後側の第２ダスト収容空間５１ｅの領域内に形成されている。図１１に示すように、後方集塵口２５１ａは回転刃３の外周よりも回転刃３の半径方向外方の部分に形成されている。より詳細には、後方集塵口２５１ａは、第２ダストカバー５２装着時に、回転刃３の軸方向から見て係合部５２Ｃの上方位置から切断方向後側に形成されている（図１３）。このとき、集塵口５１ａは第１ダスト収容空間５１ｄの領域内に形成される
【００６３】
次に、第２の実施形態における携帯用丸のこ２０１の動作について説明する。スイッチ２２の押下により、図示せぬモ−タ及び遠心ファン７１が回転する。図１４に示すように、吸入口２１ａからモータ収容部内２１に取り込まれた空気は、モータ収容部側開口２１ｂを通って通路２４内に運ばれるとともに、通路側開口２２４ａを通って後方通路２２４に運ばれる。
【００６４】
各通路内を流れる空気は、それぞれ回転刃カバー側開口４ａ、２０４ａを通って回転刃収容空間４０ａ内に噴出される。そして、回転刃カバー側開口４ａに対向する集塵口５１ａ、及び回転刃カバー側開口２０４ａに対向する後方集塵口２５１ａを通ってダストボックス５の切粉集塵空間５０ａ内に流れる（図１０）。
【００６５】
この状態で作業者が被加工部材を切断すると、比較的質量の大きな切粉は図１３において矢印Ａで示されるように集塵口５１ａを通って切粉集塵空間５０ａ内に入り、係合部５２Ｃに当たり係合部５２Ｃよりも前方の第１ダスト収容空間５１ｄに落ちて堆積する。比較的質量の小さな切粉は、図１３において矢印Ｂで示されるように集塵口５１ａを殆ど通らず後方集塵口２５１ａを通って切粉集塵空間５０ａ内に入り、係合部５２Ｃよりも後方の第２ダスト収容空間５１ｅに落ちて堆積する。
【００６６】
モータの遠心ファン７１により発生した風を案内する後方通路２２４がさらに設けられ、回転刃カバー側開口２０４ａと後方集塵口２５１ａとがそれぞれ対向する位置に形成されていることにより、集塵口５１ａと後方集塵口２５１ａのいずれか一方の集塵口で集塵することができなかった切粉を他方の集塵口で集塵することが可能になる。これにより、切断時に回転刃３の周辺に発生する切粉を積極的にダストボックス５内に取り込み、集塵効率を向上させることができる。
【００６７】
第１ダストカバー５１の集塵口５１ａを切断方向前側に形成し、後方集塵口２５１ａを切断方向後側に形成したことにより、ダストボックス５の略中央部に位置する係合部５２Ｃに妨げられることなくダストボックス５内の切断方向後側に集塵することができる。これにより、ダストボックス５内の空間を有効利用することができ、集塵率を向上させることができる。
【００６８】
集塵口５１ａを第１ダスト収容空間５１ｄに設け、後方集塵口２５１ａを第２ダスト収容空間５１ｅに設けることにより、第１ダスト収容空間５１ｄが満杯になった状態であっても、第２ダスト収容空間５１ｅ内に切粉を集塵することができる。これにより、ダストボックス５内の空間を有効利用することができ、集塵率を向上させることができる。
【００６９】
また、後方集塵口２５１ａは、第２ダスト収容空間領域５１ｅ内であって回転刃３の外周よりも回転刃３の半径方向外方に配置されているため、後方集塵口２５１ａを通して切粉集塵空間５０ａ内へ集塵された切粉を、係合部５２Ｃよりも切断方向後側（第２ダスト収容空間５１ｅ）へ送ることができ、第１ダスト収容空間５１ｄに集中して切粉が堆積してしまうことを抑制することができる。
【００７０】
次に第２実施例の変形例について図１５に基づいて説明する。なお、第２の実施形態と同一の構成は同一の符号を付して説明を省略する。
【００７１】
変形例における後方通路２２４’の一端はモータ収容部２１内に形成されたモータ収容部側開口２２１ｂに接続し、他端は回転刃カバー４内に形成された回転刃カバー側開口２０４ａに接続している。後方通路２２４’は第３通路の一例として機能する。モータ収容部２１内に形成されたモータ収容部側開口２２１ｂは、モータ収容部側開口２１ｂと同様に遠心ファン７１の半径方向外方に形成される。つまり、モータ収容部側開口２１ｂ、２２１ｂは、いずれもモータ収容部２１の内面であって遠心ファン７１の回転軸を中心とする円周上に形成される。
【００７２】
このような構成により、第２の実施形態と同様の効果を得ることができる。
【００７３】
次に図１６を用いて本発明の第３の実施形態について説明する。なお、第１の実施形態と同一の構成は同一の符号を付して説明を省略する。
【００７４】
ハウジング２には、上述の実施形態で示した通路２４に替えて、図１６に示す通路３２４が形成されている。通路３２４は、一端がモータ収容部２１内に形成されたモータ収容部側開口３２１ｂに接続し、他端は回転刃カバー４内に形成された回転刃カバー側開口３０４ａに接続している。通路３２４の他端側には照明装置３２６が設けられており、通路３２４は照明装置３２６内を貫通、あるいは照明装置３２６の外周部を覆うようにして回転刃カバー側開口３０４ａに接続している。照明装置３２６は図示せぬ基盤と配線３２６Ａによって接続されており、その配線３２６Ａは通路２４内に配置されている。つまり、通路３２４は照明装置３２６の配線３２６Ａを覆う配線カバーとしての役割を果たす。
【００７５】
照明装置３２６及び照明装置３２６の配線３２６Ａをファンの風を案内する通路３２４内に配置することにより、風によって照明装置３２６及び配線３２６Ａの発熱を抑制することができる。さらに、通路３２４が照明装置３２６及び配線３２６Ａの保持を兼ねているため新たに照明装置３２６の保持部材を形成する必要はなく、部品の点数を削減することができる。通路２４及び照明装置３２６を設けることにより、切粉の集塵効率を向上することができるとともに切断部位の視認性を向上することができる。
【００７６】
本発明の切断機は、上述した実施の形態に限定されず、特許請求の範囲に記載した範囲で種々の変形や改良が可能である。例えば、集塵口５１ａの開口部と後方集塵口２５１ａの開口部との少なくとも一方には開口部を開閉可能な蓋部材が設けられていてもよい。
【００７７】
このような構成とすることにより、被加工部材の違いによる切粉の質量の違いに応じて、適宜集塵口５１ａや後方集塵口２５１ａを閉じた状態としたり開いた状態としたりして、切粉を最大量で切粉集塵空間５０ａ内へ集塵することができるように調整することができる。
【００７８】
また、後方集塵口２５１ａは１つのみ形成されたが一つに限定されない。また、集塵口５１ａ及び後方集塵口２５１ａの大きさや形状は、本実施の形態の大きさや形状に限定されない。また、集塵口５１ａ及び後方集塵口２５１ａが形成されている位置は、回転刃カバー側開口４ａ、２０４ａと対向する位置であれば本実施の形態の位置に限定されず、一方が第１ダスト収容空間５１ｄで他方が第２ダスト収納空間５１ｅの領域内にそれぞれ形成されていればよい。
【００７９】
また、第２ダストカバー５２の接続部５５の筒状口部５５Ａはキャップ５６により閉塞されていたが、キャップ５６に代えて、空気が通り抜けることができ且つ切粉は通り抜けられないフィルターを設けてもよい。このような構成にすれば、空気の流れをより円滑にすることができ、集塵効率を更に向上することができる。
【００８０】
また、通路２４及び後方通路２２４はハウジング２の外面を沿うように設けられたが、ハウジング２とは別の部材で形成されてもよい。具体的には、ハウジング２の内部を通るように通路が形成されていてもよい。
【００８１】
また、第２の実施形態ではモータ収容部２１と回転刃カバー４とを繋ぐ２つの通路（通路２４及び後方通路２２４）が形成されたが、これに限定されず３つ以上の通路が形成されてもよい。
【００８２】
回転刃カバー側開口４ａと集塵口５１ａは互いに回転刃３の回転軸と平行な一直線上に位置していたが、両者は回転軸と平行でなくても一直線上に位置していればよい。具体的には、回転刃カバー側開口４ａの貫通方向と集塵口５１ａの貫通方向が同一方向に指向していて、回転カバー側開口４ａから出た空気が真直ぐに集塵口５１ａに流れ込む位置に両者が形成されていればよい。
【００８３】
また、モータ７冷却用のファンとして遠心ファンを用いたが、例えば、軸流ファンを用いてもよい。この場合、空気は吸入口２１ａからの方向を変えずにモータの軸方向に流れるため、通路２４及び後方通路２２４はハウジング２の内部を通るように形成されていることが望ましい。
【００８４】
また、接続部５５には、ダストボックス５内の空気を積極的に吸引する集塵機を接続することができる。集塵機を運転した状態で被加工部材を切断した場合には、集塵率は９０％以上となる。これにより、さらに効率的に発生した切粉を集塵することができる。
【産業上の利用可能性】
【００８５】
本発明の切断機は、効率よく切粉を集塵することが要求される携帯用切断機等の分野において特に有用である。
【符号の説明】
【００８６】
１・・・携帯用丸のこ、２・・・ハウジング、２１ｂ・・・モータ収容部側開口、２４・・・通路、３・・・回転刃、４・・・回転刃カバー、４０ａ・・・回転刃収容空間、４ａ・・・回転刃カバー側開口、５・・・ダストボックス、５１・・・第１ダストカバー、５１ａ・・・集塵口、５１ｄ・・・第１ダスト収容空間、５１ｅ・・・第２ダスト収容空間、５０ａ・・・切粉集塵空間、５１ａ・・・集塵口、２５１ａ・・・後方集塵口、５２Ｃ・・・係合部、６・・・ベース部、７１・・・遠心ファン、２０４ａ・・・回転刃カバー側開口、２２１ｂ・・・モータ収容部側開口、２２４・・・後方通路、２５１ａ・・・後方集塵口、３２６・・・照明装置
【図１】
2011131367.tif 000003
【図２】
2011131367.tif 000004
【図３】
2011131367.tif 000005
【図４】
2011131367.tif 000006
【図５】
2011131367.tif 000007
【図６】
2011131367.tif 000008
【図７】
2011131367.tif 000009
【図８】
2011131367.tif 000010
【図９】
2011131367.tif 000011
【図１０】
2011131367.tif 000012
【図１１】
2011131367.tif 000013
【図１２】
2011131367.tif 000014
【図１３】
2011131367.tif 000015
【図１４】
2011131367.tif 000016
【図１５】
2011131367.tif 000017
【図１６】
2011131367.tif 000018